(57)【要約】【課題】簡便かつ低コストで製造することができる中仕切材を提供することを目的とする。【解決手段】容器の内部を複数の区画に仕切る中仕切材１であって、１枚のシート材により構成され、シート材は、折り目３Ａ〜３Ｆを介して連設される複数の仕切片２Ａ〜２Ｃを備え、複数の仕切片２Ａ〜２Ｃのうち、一部の仕切片２Ｃには上端縁を切り欠いてなる第１切り込み４が設けられ、他の一部の仕切片２Ｂ１，２Ｂ２には下端縁を切り欠いてなる第２切り込み５が設けられ、シート材を折り目３Ａ〜３Ｆで折り曲げて第１切り込み４及び第２切り込み５を噛み合わせることにより形作られる。【選択図】図１
2019199285.tif 000002
【特許請求の範囲】
【請求項１】
容器の内部を複数の区画に仕切る中仕切材であって、
１枚のシート材により構成され、
前記シート材は、折り目を介して連設される複数の仕切片を備え、
前記複数の仕切片のうち、一部の仕切片には上端縁を切り欠いてなる第１切り込みが設けられ、他の一部の仕切片には下端縁を切り欠いてなる第２切り込みが設けられ、
前記シート材を前記折り目で折り曲げて前記第１切り込み及び前記第２切り込みを噛み合わせることにより形作られる、中仕切材。
【請求項２】
前記第１切り込み及び前記第２切り込みは、前記シート材の厚みよりも大きい幅を持つ幅広部を有する、請求項１に記載の中仕切材。
【請求項３】
前記幅広部の幅は、前記シート材の厚みより１ｍｍ以上大きい、請求項２に記載の中仕切材。
【請求項４】
前記第１切り込み及び前記第２切り込みは、前記シート材の厚みよりも小さい幅を持つ幅狭部をさらに有する、請求項２又は３に記載の中仕切材。
【請求項５】
前記第１切り込み及び前記第２切り込みがそれぞれ複数設けられている、請求項１〜４のいずれかに記載の中仕切材。
【請求項６】
前記複数の仕切片は、箱の内側面に沿うとともに箱と他の仕切片との間に挟み込まれるように配置される仕切片を含む、請求項１〜５のいずれかに記載の中仕切材。
【請求項７】
偏平に折り畳んだときに全長にわたって厚みが均等になる、請求項１〜６のいずれかに記載の中仕切材。
【発明の詳細な説明】
【技術分野】
【０００１】
本発明は、箱などの容器の内部を複数の区画に仕切って各区画に物品を別々に収納するための中仕切材に関する。
【背景技術】
【０００２】
複数の物品を箱に収納する場合において、輸送中等における物品同士の接触による損傷や破損を防止するため、従来から中仕切材が用いられている。従来の中仕切材は、切り込みが形成された複数の仕切片を切り込みで噛み合わせて格子状に組み合わせたものが一般的である。この従来の中仕切材は、複数の仕切片で構成されるので、部品点数が多く、組み立てに手間がかかる。また、予め組み立てておくと、嵩張るために複数の中仕切材を保管や輸送するのに多くのスペースが必要となって無駄が生じるうえ、積み重ねた複数の中仕切材が荷崩れする可能性もあり、保管や輸送が困難となる。
【０００３】
そこで、平板状に折り畳みが可能であるとともに、ワンタッチで展開して立体的な格子状となる中仕切材が提案されている（例えば特許文献１を参照）。
【先行技術文献】
【特許文献】
【０００４】
【特許文献１】特許第４９９００３５号公報
【発明の概要】
【発明が解決しようとする課題】
【０００５】
しかしながら、特許文献１の中仕切材は、これを製造するために、（i）プラスチックシートを裁断して外側片及び内側片を得る工程、（ii）内側片に複数の折り目を形成して折り畳み可能とする工程、（iii）内側片を扁平状態に折り畳む工程、（iv）扁平状態の内側片に外側片を接着剤により貼り付けて一側外側片付の内側片を得る工程、（v）複数の一側外側片付の内側片を接着剤により積層させた後、外側片を貼り付ける工程等の複数の複雑な工程を経る必要がある。このように、特許文献１の中仕切材は、製造に際して複数の部品を接着剤により貼り付ける必要があるなど、多大な手間を要し、その分、製造コストが高くなるという課題がある。
【０００６】
本発明は、上記した課題に着目してなされたものであり、簡便かつ低コストで製造することができる中仕切材を提供することを目的とする。
【課題を解決するための手段】
【０００７】
上記課題を解決することができる本発明に係る中仕切材は、容器の内部を複数の区画に仕切るものであって、１枚のシート材により構成され、前記シート材は、折り目を介して連設される複数の仕切片を備え、前記複数の仕切片のうち、一部の仕切片には上端縁を切り欠いてなる第１切り込みが設けられ、他の一部の仕切片には下端縁を切り欠いてなる第２切り込みが設けられ、前記シート材を前記折り目で折り曲げて前記第１切り込み及び前記第２切り込みを噛み合わせることにより形作られることを特徴とする。
【０００８】
本発明に係る中仕切材は、前記第１切り込み及び前記第２切り込みは、前記シート材の厚みよりも大きい幅を持つ幅広部を有することが好ましい。前記幅広部の幅は、前記シート材の厚みより１ｍｍ以上大きいことがより好ましい。
【０００９】
また、本発明に係る中仕切材は、前記第１切り込み及び前記第２切り込みは、前記シート材の厚みよりも小さい幅を持つ幅狭部をさらに有することが好ましい。
【００１０】
また、本発明に係る中仕切材は、前記第１切り込み及び前記第２切り込みがそれぞれ複数設けられていることが好ましい。
【００１１】
また、本発明に係る中仕切材は、前記複数の仕切片は、箱の内側面に沿うとともに箱と他の仕切片との間に挟み込まれるように配置される仕切片を含むことが好ましい。
【００１２】
また、本発明に係る中仕切材は、偏平に折り畳んだときに全長にわたって厚みが均等になることが好ましい。
【発明の効果】
【００１３】
本発明に係る中仕切材によれば、第１切り込み及び第２切り込みが形成された１枚のシート材で構成されており、シート材を折り目で折り曲げながら第１切り込み及び第２切り込みを噛み合わせるだけで中仕切材を形作ることができる。よって、中仕切材の組み立てが簡便であり、また、低コストで中仕切材を製造することができる。
【００１４】
また、中仕切材を所定の折り目で偏平に折り畳むことで、中仕切材が平板状となり、ワンタッチで再び展開して立体的な形状となる。よって、保管や輸送時には中仕切材を折り畳んで平板状とし、複数の中仕切材を積み重ねることで、嵩張ることなく省スペースでひとかたまりに纏めることができる。そのため、中仕切材の保管や輸送が容易となる。
【図面の簡単な説明】
【００１５】
【図１】一実施形態の中仕切材の斜視図である。
【図２】図１の中仕切材を箱に装着した状態の斜視図である。
【図３】図１の中仕切材の展開図（シート材の正面図）である。
【図４】図３のシート材から中仕切材を形作る手順を示す平面図である。
【図５】図３のシート材から中仕切材を形作る手順を示す平面図である。
【図６】図１の中仕切材の平面図である。
【図７】図１の中仕切材を折り畳んで平板状とする過程の斜視図である。
【図８】図１の中仕切材が平板状となった時の斜視図である。
【図９】他の実施形態の中仕切材を箱に装着した状態の概略構成を示す図（平面図）である。
【図１０】図９の中仕切材を折り畳んで平板状とする過程の概略構成を示す図（平面図）である。
【図１１】他の実施形態の中仕切材を箱に装着した状態の概略構成を示す図（平面図）である。
【図１２】図１１の中仕切材を折り畳んで平板状とする過程の概略構成を示す図（平面図）である。
【図１３】他の実施形態の中仕切材を箱に装着した状態の概略構成を示す図（平面図）である。
【図１４】図１３の中仕切材を折り畳んで平板状とする過程の概略構成を示す図（平面図）である。
【図１５】他の実施形態の中仕切材を箱に装着した状態の概略構成を示す図（平面図）である。
【図１６】図１５の中仕切材を折り畳んで平板状とする過程の概略構成を示す図（平面図）である。
【図１７】他の実施形態の中仕切材を箱に装着した状態の概略構成を示す図（平面図）である。
【図１８】図１７の中仕切材を折り畳んで平板状とする過程の概略構成を示す図（平面図）である。
【発明を実施するための形態】
【００１６】
以下、本発明に係る中仕切材の一実施形態について、添付図面を参照して説明する。中仕切材は、容器に装着されて、容器の内部を複数の区画に仕切って各区画に物品を別々に収納するために用いられる。なお、以下の説明では、容器として箱を例にして説明するが、中仕切材が用いられる容器は、物品の包装や収納などに用いられるものであれば、必ずしも箱に限定されるものではない。また、容器の材質も、厚紙、段ボール、プラスチック、金属など種々のものであってよい。
【００１７】
図１は、一実施形態の中仕切材１の外観を示し、図２は、図１の中仕切材１を箱１００の内部に装着した状態を示す。箱１００は、例えば、底面板１０１の四辺に前後一対の側面板１０２，１０３及び左右一対の側面板１０４，１０５を立設した平面視長方形状の箱である。中仕切材１は、箱１００の内部をｘ方向及びｙ方向ともに複数に区分けすることで複数の区画に仕切り、本実施形態では、ｘ方向に３つ、ｙ方向に２つの計６の区画１０６に仕切る。
【００１８】
中仕切材１は、図３に示す１枚のシート材１０を折り上げて形作られる。シート材１０は、概ね一定の厚みを有する厚紙、段ボール紙、プラスチックシートなどの材料からなる。シート材１０は、長さの異なる複数種の仕切片２を所定数ずつ備えている。シート材１０は、複数の仕切片２が折り目３を介して横一列に並ぶようにして連設されており、隣接する２つの仕切片２の間に縦方向に延びる折り目３がそれぞれ並行に設けられている。複数の折り目３は、山折りないしは谷折りが可能である。
【００１９】
本実施形態では、複数の仕切片２は、第１の長さｌ１を有する３つの第１仕切片２Ａ１〜２Ａ３と、第１の長さｌ１よりも大きい第２の長さｌ２を有する３つの第２仕切片２Ｂ１〜２Ｂ３と、第２の長さｌ２よりも大きい第３の長さｌ３を有する１つの第３仕切片２Ｃとで構成されている。長さが最も大きい第３仕切片２Ｃは、箱１００の内部のｙ方向を２つに区分けする。長さが次に大きい３つの第２仕切片２Ｂ１〜２Ｂ３のうち、２つの第２仕切片２Ｂ１，２Ｂ２は、第３仕切片２Ｃと交差して、箱１００の内部のｘ方向を３つに区分けし、残り１つの第２仕切片２Ｂ３は、箱１００の内側面に沿うように配置される。長さが最も小さい３つの第１仕切片２Ａ１〜２Ａ３は、箱１００の内側面に沿うように配置される。
【００２０】
シート材１０は、一方側（図３では右側）から、第３仕切片２Ｃ、折り目３Ａ、第１仕切片２Ａ１、折り目３Ｂ、第１仕切片２Ａ２、折り目３Ｃ、第２仕切片２Ｂ１、折り目３Ｄ、第１仕切片２Ａ３、折り目３Ｅ、第２仕切片２Ｂ２、折り目３Ｆ、第２仕切片２Ｂ３の順で並べられている。なお、以下の説明では、３つの第１仕切片２Ａ１〜２Ａ３をまとめて第１仕切片２Ａと称し、３つの第２仕切片２Ｂ１〜２Ｂ３をまとめて第２仕切片２Ｂと称する場合もある。
【００２１】
各仕切片２Ａ〜２Ｃは、矩形状であり、その高さは全て同じである一方で、その長さが異なる。第１仕切片２Ａの第１の長さｌ１は、箱１００内の各区画１０６の寸法となる。また、第２仕切片２Ｂの第２の長さｌ２は、第１仕切片２Ａの第１の長さｌ１の概ね２倍であり、第３仕切片２Ｃの第３の長さｌ３は、第１仕切片２Ａの第１の長さｌ１の概ね３倍である。
【００２２】
複数の仕切片２のうち、一部の仕切片２には、上下一方の端縁（図３では上端縁）を所定の幅及び長さで反対側の端縁（図３では下方）に向けて切り欠いて形成された第１切り込み４が設けられている。また、複数の仕切片２のうち、他の一部の仕切片２には、上下他方の端縁（図３では下端縁）を所定の幅及び長さで反対側の端縁（図３では上方）に向けて切り欠いて形成された第２切り込み５が設けられている。第１切り込み４及び第２切り込み５は、それぞれが形成された仕切片２を互いに交差させた際に上下より互いに深く差し込まれて噛み合わされることで、２つの仕切片２を交差させた状態で固定する。
【００２３】
第１切り込み４及び第２切り込み５は、それぞれ、幅の広い幅広部６Ａと、幅の狭い幅狭部６Ｂとを有している。
【００２４】
幅広部の幅Ｄは、シート材１０の厚みよりも大きく、好ましくはシート材１０の厚みより１ｍｍ以上大きい。これにより、第１切り込み４及び第２切り込み５が形成された２つの仕切片２を交差させる際に、第１切り込み４及び第２切り込み５を互いに噛み合わせやすくでき、中仕切材１の組み立てが容易となる。また、詳細は後述するが、組み立てた中仕切材１を折り畳む際に、交差する２つの仕切片２をその交差部となる第１切り込み４及び第２切り込み５の部分で形が変えられる（形を崩す）ことなく良好に重ね合わせることができる。なお、幅広部６Ａの溝底の形状は、本実施形態では三角形状となっているが、三角形状に限定されるものではなく、矩形状、円弧状など、他の形状であってもよい。
【００２５】
幅狭部６Ｂは、幅広部６Ａの溝底の幅方向中央に幅Ｄよりも狭くかつ上下に延びるように形成されている。この幅狭部６Ｂの幅は、シート材１０の厚みと同じ又は小さい。これにより、第１切り込み４及び第２切り込み５が形成された２つの仕切片２を交差させた際に、当該仕切片２同士を交差させた状態で強く固定することができる。
【００２６】
本実施形態では、複数の仕切片２のうち、箱１００の内部のｙ方向を２つに分ける第３仕切片２Ｃに所定間隔をあけて２つの第１切り込み４が設けられている。一方、複数の仕切片２のうち、第３仕切片２Ｃと交差する２つの第２仕切片２Ｂ１及び第２仕切片２Ｂ２にそれぞれ第２切り込み５が１つずつ設けられている。
【００２７】
次に、上記構成のシート材１０を折り上げて中仕切材１とし、箱１００内部を複数の区画に仕切る手順を説明する。
【００２８】
まず、図３のシート材１０を、折り目３Ａ，３Ｂ，３Ｃにおいてそれぞれ９０度で谷折りして、第３仕切片２Ｃに第２仕切片２Ｂ１を交差させて、第３仕切片２Ｃの一方の第１切り込み４に第２仕切片２Ｂ１の第２切り込み５を噛み合わせる（図４）。次に、折り目３Ｄ，３Ｅにおいてそれぞれ９０度で山折りして第３仕切片２Ｃに第２仕切片２Ｂ２を交差させて、第３仕切片２Ｃの他方の第１切り込み４に第２仕切片２Ｂ２の第２切り込み５を噛み合わせる（図５）。最後に、折り目３Ｆにおいて９０度で山折りして、第２仕切片２Ｂ３を第１仕切片２Ａ２の外側に配する（図６）。これにより、中仕切材１が形作られる。
【００２９】
このようにして形作られた図１に示す中仕切材１を箱１００の内部に装着すると、図２に示すように、３つの第１仕切片２Ａが箱１００のそれぞれの側面板１０２，１０３，１０５の内側面に沿う。これにより、中仕切材１の形状が保持され、箱１００の内部は中仕切材１により６つの区画に仕切られる。また、第２仕切片２Ｂ３が少なくとも一つの区画１０６を超えて箱１００の側面板１０３の内側面に沿い、箱１００と第１仕切片２Ａ２との間に挟み込まれている。本実施形態では、第２仕切片２Ｂ３の先端が隅の区画１０６の端まで延びて側面板１０５と対向している。
【００３０】
本実施形態の中仕切材１によると、第１切り込み４及び第２切り込み５が形成された１枚のシート材１０で構成されており、シート材１０を折り目３Ａ〜３Ｆで複数回折り曲げながら第１切り込み４及び第２切り込み５を噛み合わせるだけで中仕切材１を形作ることができる。よって、中仕切材１の組み立てが簡便であり、また、低コストで中仕切材１を製造することができる。
【００３１】
また、本実施形態の中仕切材１は、箱１００内のｘ方向を区分けする第２仕切片２Ｂ２の先端に、箱１００内の少なくとも一つの区画１０６を超えて箱１００の内側面に沿って延びる第２仕切片２Ｂ３が接続されている。この箱１００の内側面に沿って延びる第２仕切片Ｂ３は区画１０６の形成に関与するものではなく、当該第２仕切片２Ｂ３がなくても中仕切材１は箱１００内を複数の区画に仕切ることはできるが、当該第２仕切片Ｂ３の存在により、上記箱１００内のｘ方向を区分けする第２仕切片２Ｂ２の先端を左右に自由に振れることなく、定位置に維持することができる。その結果、中仕切材１により箱１００内に形成された区画１０６の形状をしっかりと保持することができる。この区画１０６の形状保持の効果は、上記区画１０６の形成に関与しない第２仕切片Ｂ３が箱１００内の隅の区画１０６の端まで延びることで、向上する。
【００３２】
また、本実施形態の中仕切材１は、図７に示すように、例えば折り目３Ｂ及び折り目３Ｅを介して偏平に折り畳むことで、図８に示すように、一連に連なる複数の仕切片２が幾重に折り重ねられた平板状となり、ワンタッチで再び展開して立体的な形状となる。よって、保管や輸送時には中仕切材１を折り畳んで平板状とし、複数の中仕切材１を積み重ねることで、嵩張ることなく省スペースでひとかたまりに纏めることができ、保管や輸送をしやすくできる。
【００３３】
加えて、本実施形態の中仕切材１は、平板状に折り畳まれた状態では、全長にわたって厚みが均等になり、シート材１０の厚みにして３枚分の厚みを全長にわたって均等に有している。よって、複数の中仕切材１を積み重ねてひとかたまりに纏めたときに、上方に向かうに連れて左右に傾斜した状態で中仕切材１が積み重ねられるということがなく、バランス良く積み重ねることができる。
【００３４】
以上、本発明に係る中仕切材の一実施形態について説明したが、本発明に係る中仕切材は、上記実施形態に限定されるものではなく、本発明の趣旨を逸脱しない限りにおいて種々の変更が可能である。例えば以下の変更が可能である。
【００３５】
上記実施形態では、中仕切材１（シート材１０）は、その両端のうちの一方の端部に、箱１００の内側面に沿うとともに箱１００と第１仕切片２Ａとの間に挟み込まれるように配置される仕切片２（上記実施形態では第２仕切片２Ｂ３）を備えている。ただし、本発明に係る中仕切材は、当該仕切片２を必ずしも備えている必要はない。
【００３６】
また、上記実施形態では、中仕切材１は、平板状に折り畳まれた状態において全長にわたって厚みが均等になっている。ただし、本発明に係る中仕切材は、平板状に折り畳まれた状態で、必ずしも厚みが均等になっている必要はない。
【００３７】
また、上記実施形態では、中仕切材１は、箱１００の内部を６つの区画１０６に仕切っている。ただし、本発明に係る中仕切材は、箱１００の内部を他の複数の区画１０６に仕切るものであってもよい、
【００３８】
例えば、図９に示すように、中仕切材１は、箱１００の内部をｘ方向に２つ、ｙ方向に２つの計４の区画１０６に仕切るものであってもよい。この場合、箱１００は平面視正方形状の箱である。
【００３９】
図９に示す中仕切材１は、複数の仕切片２として、第１の長さｌ１を有する３つの第１仕切片２Ａ１〜２Ａ３と、第１の長さｌ１よりも大きい長さｌ２（＝２×ｌ１）を有する３つの第２仕切片２Ｂ１〜２Ｂ３とを有している。長さが最も大きい３つの第２仕切片２Ｂ１〜２Ｂ３のうち、２つの第２仕切片２Ｂ１，２Ｂ２は、互いに交差して、箱１００の内部のｘ方向及びｙ方向をそれぞれ２つに区分けしている。残り１つの第２仕切片２Ｂ３は、箱１００の内側面に沿うとともに箱１００と第１仕切片２Ａ１との間に挟み込まれるように配置され、その先端は隅の区画１０６の端まで延びて箱１００の内側面と対向している。長さが最も小さい３つの第１仕切片２Ａ１〜２Ａ３は、箱１００の内側面に沿うように配置される。
【００４０】
図示は省略するが、複数の仕切片２のうち、互いに交差する２つの第２仕切片２Ｂ１，２Ｂ２の一方の第２仕切片２Ｂ１に第１切り込み４が１つ設けられ、他方の第２仕切片２Ｂ２に第２切り込み５が１つ設けられている。
【００４１】
この図９に示す中仕切材１も、上記実施形態と同様に、図示は省略するが１枚のシート材１０により構成され、シート材１０をそれぞれ折り目３Ａ〜３Ｅにおいて９０度で山折りあるいは谷折りしながら折り上げて、第１切り込み４及び第２切り込み５を噛み合わせるだけで中仕切材１を形作ることができる。また、箱１００の内側面に沿って延びる第２仕切片２Ｂ３の存在により、上記実施形態と同様に、区画１０６の形状保持の効果を得ることができる。加えて、図１０に示すように、折り目３Ｂ及び折り目３Ｄを介して偏平に折り畳むことで、上記実施形態と同様に、一連に連なる複数の仕切片２が幾重に折り重ねられた平板状となり、ワンタッチで再び展開して立体的な形状となる。このとき、第１仕切材２Ａ３及び第２仕切材２Ｂ３が存在することにより、平板状に折り畳まれた状態で中仕切材１は、全長にわたって厚みが略均等になり、シート材１０の厚みにして３枚分の厚みを全長にわたって均等に有する。
【００４２】
次に、図１１に示すように、中仕切材１は、箱１００の内部をｘ方向に４つ、ｙ方向に２つの計８の区画１０６に仕切るものであってもよい。この場合には、箱１００は平面視長方形状の箱である。
【００４３】
図１１に示す中仕切材１は、複数の仕切片２として、第１の長さｌ１を有する４つの第１仕切片２Ａ１〜２Ａ４と、第１の長さｌ１よりも大きい第２の長さｌ２（＝２×ｌ１）を有する３つの第２仕切片２Ｂ１〜２Ｂ３と、第２の長さｌ２よりも大きい第３の長さｌ３（＝３×ｌ１）を有する１つの第３仕切片２Ｃと、第３の長さｌ３よりも大きい第４の長さｌ４（＝４×ｌ１）を有する１つの第４仕切片２Ｄとを有している。長さが最も大きい第４仕切片２Ｄは、箱１００の内部のｙ方向を２つに区分けする。長さが次に大きい第３仕切片２Ｃは、箱１００の内側面に沿うとともに箱１００と第１仕切片２Ａ３との間に挟み込まれるように配置され、その先端は隅の区画１０６の端まで延びて箱１００の内側面と対向している。長さが次に大きい３つの第２仕切片２Ｂ１〜２Ｂ３は、第４仕切片２Ｄと交差して、箱１００の内部のｘ方向を４つに区分けする。長さが最も小さい４つの第１仕切片２Ａ１〜２Ａ４は、箱１００の内側面に沿うように配置される。
【００４４】
図示は省略するが、複数の仕切片２のうち、箱１００の内部のｙ方向を２つに区分けする第４仕切片２Ｄには、所定間隔をあけて３つの第１切り込み４が設けられている。一方、複数の仕切片２のうち、第４仕切片２Ｄと交差する３つの第２仕切片２Ｂ１〜２Ｂ３にそれぞれ第２切り込み５が１つずつ設けられている。
【００４５】
この図１１に示す中仕切材１も、上記実施形態と同様に、図示は省略するが１枚のシート材１０により構成され、シート材１０をそれぞれ折り目３Ａ〜３Ｈにおいて９０度で山折りあるいは谷折りしながら折り上げて、第１切り込み４及び第２切り込み５を噛み合わせるだけで中仕切材１を形作ることができる。また、箱１００の内側面に沿って延びる第３仕切片２Ｃの存在により、上記実施形態と同様に、区画１０６の形状保持の効果を得ることができる。加えて、図１２に示すように、例えば折り目３Ｂ、折り目３Ｅ、折り目３Ｆ及び折り目３Ｈを介して偏平に折り畳むことで、上記実施形態と同様に、一連に連なる複数の仕切片２が幾重に折り重ねられた平板状となり、ワンタッチで再び展開して立体的な形状となる。
【００４６】
次に、図１３に示すように、中仕切材１は、箱１００の内部をｘ方向に３つ、ｙ方向に３つの計９の区画１０６に仕切るものであってもよい。この場合、箱１００は平面視正方形状の箱である。
【００４７】
図１３に示す中仕切材１は、複数の仕切片２として、第１の長さｌ１を有する４つの第１仕切片２Ａ１〜２Ａ４と、第１の長さｌ１よりも大きい第２の長さｌ２（＝２×ｌ１）を有する１つの第２仕切片２Ｂと、第２の長さｌ２よりも大きい第３の長さｌ３（＝３×ｌ１）を有する４つの第３仕切片２Ｃ１〜２Ｃ４とを有している。長さが最も大きい４つの第３仕切片２Ｃ１〜２Ｃ４は、格子をなすように交差して、箱１００の内部のｘ方向及びｙ方向をそれぞれ３つに区分けする。長さが次に大きい第２仕切片２Ｂは、箱１００の内側面に沿うとともに箱１００と第１仕切片２Ａ３との間に挟み込まれるように配置され、その先端は隅の区画１０６の端まで延びて箱１００の内側面と対向している。長さが最も小さい４つの第１仕切片２Ａ１〜２Ａ４は、箱１００の内側面に沿うように配置される。
【００４８】
図示は省略するが、複数の仕切片２のうち、格子をなして交差する４つの第３仕切片２Ｃ１〜２Ｃ４の２つの第３仕切片２Ｃ１，２Ｃ２に所定間隔をあけて２つの第１切り込み４が設けられ、残り２つの第３仕切片２Ｃ３，２Ｃ４に所定間隔をあけて２つの第２切り込み５が設けられている。
【００４９】
この図１３に示す中仕切材１も、上記実施形態と同様に、図示は省略するが１枚のシート材１０により構成され、シート材１０をそれぞれ折り目３Ａ〜３Ｈにおいて９０度で山折りあるいは谷折りしながら折り上げて、第１切り込み４及び第２切り込み５を噛み合わせるだけで中仕切材１を形作ることができる。また、箱１００の内側面に沿って延びる第２仕切片２Ｂの存在により、上記実施形態と同様に、区画１０６の形状保持の効果を得ることができる。加えて、図１４に示すように、例えば折り目３Ｂ、折り目３Ｃ、折り目３Ｅ、折り目３Ｆ及び折り目３Ｈを介して偏平に折り畳むことで、上記実施形態と同様に、一連に連なる複数の仕切片２が幾重に折り重ねられた平板状となり、ワンタッチで再び展開して立体的な形状となる。
【００５０】
次に、図１５に示すように、中仕切材１は、箱１００の内部をｘ方向に４つ、ｙ方向に３つの計１２の区画１０６に仕切るものであってもよい。この場合、箱１００は平面視長方形状の箱である。
【００５１】
図１５に示す中仕切材１は、複数の仕切片２として、第１の長さｌ１を有する５つの第１仕切片２Ａ１〜２Ａ５と、第１の長さｌ１よりも大きい第３の長さｌ３（＝３×ｌ１）を有する４つの第３仕切片２Ｃ１〜２Ｃ４と、第３の長さｌ３よりも大きい第４の長さｌ４（＝４×ｌ１）を有する２つの第４仕切片２Ｄ１，２Ｄ２とを有している。長さが最も大きい第４仕切片２Ｄ１，２Ｄ２は、箱１００の内部のｙ方向を３つに区分けする。長さが次に大きい第３仕切片２Ｃ１〜２Ｃ４のうち、第３仕切片２Ｃ１〜２Ｃ３は、第４仕切片２Ｄ１，２Ｄ２と交差して、箱１００の内部のｘ方向を４つに区分けし、残り１つの第３仕切片２Ｃ４は、箱１００の内側面に沿うとともに箱１００と第１仕切片２Ａ４との間に挟み込まれるように配置され、その先端は隅の区画１０６の端まで延びて箱１００の内側面と対向している。長さが最も小さい４つの第１仕切片２Ａ１〜２Ａ５は、箱１００の内側面に沿うように配置される。
【００５２】
図示は省略するが、複数の仕切片２のうち、箱１００の内部のｙ方向を３つに区分けする第４仕切片２Ｄ１，２Ｄ２には、所定間隔をあけて３つの第１切り込み４が設けられている。一方、複数の仕切片２のうち、第４仕切片２Ｄ１，２Ｄ２と交差する３つの第２仕切片２Ｃ１〜２Ｃ３には、それぞれ、所定間隔をあけて２つの第２切り込み５が設けられている。
【００５３】
この図１５に示す中仕切材１も、上記実施形態と同様に、図示は省略するが１枚のシート材１０により構成され、シート材１０をそれぞれ折り目３Ａ〜３Ｊにおいて９０度で山折りあるいは谷折りしながら折り上げて、第１切り込み４及び第２切り込み５を噛み合わせるだけで中仕切材１を形作ることができる。また、箱１００の内側面に沿って延びる第３仕切片２Ｃ４の存在により、上記実施形態と同様に、区画１０６の形状保持の効果を得ることができる。加えて、図１６に示すように、例えば折り目３Ｂ、折り目３Ｃ、折り目３Ｅ、折り目３Ｆ及び折り目３Ｉを介して偏平に折り畳むことで、上記実施形態と同様に、一連に連なる複数の仕切片２が幾重に折り重ねられた平板状となり、ワンタッチで再び展開して立体的な形状となる。
【００５４】
次に、図１７に示すように、中仕切材１は、箱１００の内部をｘ方向に４つ、ｙ方向に４つの計１６の区画１０６に仕切るものであってもよい。この場合、箱１００は平面視正方形状の箱である。
【００５５】
図１７に示す中仕切材１は、複数の仕切片２として、第１の長さｌ１を有する６つの第１仕切片２Ａ１〜２Ａ６と、第１の長さｌ１よりも大きい第３の長さｌ３（＝３×ｌ１）を有する１つの第３仕切片２Ｃと、第３の長さｌ３よりも大きい第４の長さｌ４（＝４×ｌ１）を有する６つの第４仕切片２Ｄ１〜２Ｄ６とを有している。長さが最も大きい４つの第３仕切片２Ｄ１〜２Ｄ６は、格子をなすように交差して、箱１００の内部のｘ方向及びｙ方向をそれぞれ４つに区分けする。長さが次に大きい第３仕切片２Ｃは、箱１００の内側面に沿うとともに箱１００と第１仕切片２Ａ５との間に挟み込まれるように配置され、その先端は隅の区画１０６の端まで延びて箱１００の内側面と対向している。長さが最も小さい６つの第１仕切片２Ａ１〜２Ａ６は、箱１００の内側面に沿うように配置される。
【００５６】
図示は省略するが、複数の仕切片２のうち、格子をなして交差する６つの第４仕切片２Ｄ１〜２Ｄ６の３の第４仕切片２Ｄ１〜２Ｄ３に所定間隔をあけて３つの第１切り込み４が設けられ、残り３つの第３仕切片２Ｄ４〜２Ｄ６に所定間隔をあけて３つの第２切り込み５が設けられている。
【００５７】
この図１７に示す中仕切材１も、上記実施形態と同様に、図示は省略するが１枚のシート材１０により構成され、シート材１０をそれぞれ折り目３Ａ〜３Ｌにおいて９０度で山折りあるいは谷折りしながら折り上げて、第１切り込み４及び第２切り込み５を噛み合わせるだけで中仕切材１を形作ることができる。また、箱１００の内側面に沿って延びる第３仕切片２Ｃの存在により、上記実施形態と同様に、区画１０６の形状保持の効果を得ることができる。加えて、図１８に示すように、例えば折り目３Ａ、折り目３Ｄ、折り目３Ｅ、折り目３Ｇ、折り目３Ｈ及び折り目３Ｋを介して偏平に折り畳むことで、上記実施形態と同様に、一連に連なる複数の仕切片２が幾重に折り重ねられた平板状となり、ワンタッチで再び展開して立体的な形状となる。
【符号の説明】
【００５８】
１    中仕切材
２    仕切片
３    折り目
４    第１切り込み
５    第２切り込み
６Ａ  幅広部
６Ｂ  幅狭部
１０  シート材
【図１】
2019199285.tif 000003
【図２】
2019199285.tif 000004
【図３】
2019199285.tif 000005
【図４】
2019199285.tif 000006
【図５】
2019199285.tif 000007
【図６】
2019199285.tif 000008
【図７】
2019199285.tif 000009
【図８】
2019199285.tif 000010
【図９】
2019199285.tif 000011
【図１０】
2019199285.tif 000012
【図１１】
2019199285.tif 000013
【図１２】
2019199285.tif 000014
【図１３】
2019199285.tif 000015
【図１４】
2019199285.tif 000016
【図１５】
2019199285.tif 000017
【図１６】
2019199285.tif 000018
【図１７】
2019199285.tif 000019
【図１８】
2019199285.tif 000020